(57)【要約】【課題】簡素且つ安価な構成により、ドレンパンからドレン水を容易に排水可能にするとともに、空気調和機の高さ寸法が大きくなることを回避する。【解決手段】ドレン水排水装置２５は、熱交換器のドレン水を捕集するドレンパン１１の底部に形成されたドレン排水口１９と、このドレン排水口１９から延びてドレンパン１１の内部と外部とを連通させるドレンホース２６と、このドレンホース２６の自由端２６ａの高さＨ２がドレンパン１１の最大貯留水位Ｈ１よりも高くなるようにドレンホース２６を保持するドレンホース保持部２７とを具備してなる。ドレンホース保持部２７は、例えば空気調和機の構成部材であるベルマウス７とドレンパン１１との間にドレンホース２６を上方に向けて挟む構造である。【選択図】図２
2016173190.tif 000002
【特許請求の範囲】
【請求項１】
空気調和機における熱交換器のドレンパンの底部に形成されたドレン排水口と、
前記ドレン排水口から延びるドレンホースと、
前記ドレンホースの自由端の高さが前記ドレンパンの最大貯留水位よりも高くなるように前記ドレンホースを保持するドレンホース保持部と、
を具備してなることを特徴とするドレン水排水装置。
【請求項２】
前記ドレンホース保持部は、前記空気調和機の構成部材の間に前記ドレンホースを挟む構造である請求項１に記載のドレン水排水装置。
【請求項３】
前記ドレンホース保持部は、前記空気調和機の構成部材にホース保持孔を開けて前記ドレンホースを差し込む構造である請求項１に記載のドレン水排水装置。
【請求項４】
前記ドレンホース保持部は、前記空気調和機の構成部材に設けた把持部に前記ドレンホースを挟む構造である請求項１に記載のドレン水排水装置。
【請求項５】
前記ドレンホース保持部は、前記ドレンホースを径方向に圧迫してホース通路を遮断しながら保持する構造である請求項１から４のいずれかに記載のドレン水排水装置。
【請求項６】
前記ドレンホース保持部に保持された前記ドレンホースの自由端を突き当てることによって前記ドレンホースの差し込み量を規定する差込量規定部を有する請求項１から５のいずれかに記載のドレン水排水装置。
【請求項７】
前記ドレンホース保持部は、前記ドレンパンに一体に設けられている請求項１から６のいずれかに記載のドレン水排水装置。
【請求項８】
前記ドレンホースは、前記ドレン排水口を閉塞するドレンプラグに一体に成形されている請求項１から７のいずれかに記載のドレン水排水装置。
【請求項９】
請求項１から８のいずれかに記載のドレン水排水装置を備えたことを特徴とする空気調和機。
【発明の詳細な説明】
【技術分野】
【０００１】
本発明は、ドレン水排水装置およびこれを備えた空気調和機に関するものである。
【背景技術】
【０００２】
天井埋込型の空気調和機は、冷房・除湿運転時において、内蔵された熱交換器から滴下するドレン水（結露水）を捕集して貯留するドレンパンを備えており、このドレンパンに溜まるドレン水をドレンポンプで定期的に吸い上げて外部に排水するようになっている。
【０００３】
ドレンパンの底部にはドレン排水口が形成され、ドレンプラグが嵌め込まれている。このドレン排水口は、空気調和機のメンテナンス時等においてドレンパンを取り外す必要がある場合に、ドレンポンプによって排水しきれなかったドレン水を排水し、ドレンパンの取り外しを容易に行わせるものである。
【０００４】
ところが、ドレンプラグは、ドレン水の漏れを防ぐためにドレン排水口にしっかりと嵌合されているため、その着脱が容易ではない。また、ドレンプラグが外れると同時にドレンパン内のドレン水が流れ落ちてくるため、作業に手間が掛かっていた。
【０００５】
そこで、特許文献１に開示されているように、ドレン排水口にレバー開閉式のドレンコックを設けた空気調和機が提供されている。この空気調和機において、ドレン水を排水する時には、ドレンコックに排水ホースを接続し、レバーを回動させてドレンコックを開くことによりドレン水を排水する。これにより、ドレン水を容器等に迅速に回収することができる。
【先行技術文献】
【特許文献】
【０００６】
【特許文献１】特開２００９−２９９９２９号公報
【発明の概要】
【発明が解決しようとする課題】
【０００７】
しかしながら、特許文献１の空気調和機は、ドレン排水口に設けるドレンコックと、ドレンコックに接続する排水ホースとが必要であるため、構成が複雑になり、製造コストが高くなるという問題があった。
また、ドレンパンと、空気調和機の下面をなすグリルカバーとの間にドレンコックが介在するために、空気調和機の高さ寸法が大きくなるという課題があった。
【０００８】
本発明は、このような事情に鑑みてなされたものであり、簡素且つ安価な構成により、ドレンパンからドレン水を容易に排水可能にするとともに、空気調和機の高さ寸法が大きくなることを回避することができるドレン水排水装置およびこれを備えた空気調和機を提供することを目的とする。
【課題を解決するための手段】
【０００９】
上記課題を解決するために、本発明は、以下の手段を採用する。
【００１０】
即ち、本発明に係るドレン水排水装置は、空気調和機における熱交換器のドレンパンの底部に形成されたドレン排水口と、前記ドレン排水口から延びるドレンホースと、前記ドレンホースの自由端の高さが前記ドレンパンの最大貯留水位よりも高くなるように前記ドレンホースを保持するドレンホース保持部と、を具備してなることを特徴とする。
【００１１】
上記構成のドレン水排水装置において、ドレンパンのドレン排水口からドレン水を排水しない場合は、ドレン排水口から延びるドレンホースをドレンホース保持部に保持させる。これにより、ドレンホースの自由端の高さがドレンパンの最大貯留水位よりも高くなるため、ドレンパン内にドレン水が貯留されても、このドレン水がドレンホースを経て外部に流れ出ることができなくなる。
【００１２】
また、ドレンパンを取り外す場合は、まずドレンホース保持部に保持されたドレンホースを外し、ドレンホースを下方に垂らす。これにより、ドレンホースの中間および自由端の高さがドレンパンの底面よりも低くなるため、ドレンパン内に貯留されたドレン水がドレンホースから排水される。したがって、ドレン排水口にしっかりと嵌合されているドレンプラグを抜くことなくドレン水を排水することができ、ドレンパンの取り外し作業が容易になる。
【００１３】
ドレン排水口にドレンホースを設けることや、ドレンホース保持部を設けることは、大きな設計変更を伴うことなく容易に実施することができる。このため、ドレン排水口にドレンコックを設けるといった従来の技術に比べて構造を簡素且つ安価にすることができる。
【００１４】
しかも、ドレンホースはドレンパンの下方に多大なスペースを占有することなく設けられるため、ドレンパンと、空気調和機の下面をなすグリルカバーとの間のスペースが拡がることがなく、これによって空気調和機の高さ寸法が大きくなることを回避することができる。
【００１５】
上記構成において、前記ドレンホース保持部は、前記空気調和機の構成部材の間に前記ドレンホースを挟む構造としてもよい。
【００１６】
上記構成によれば、ドレンホースを空気調和機に設けられた既存の構成部材の間に挟むことによって保持することができるので、ドレンホース保持部の構造を簡素にし、ドレン水排水装置を安価に構成することができる。
【００１７】
上記構成において、前記ドレンホース保持部は、前記空気調和機の構成部材にホース保持孔を開けて前記ドレンホースを差し込む構造としてもよい。
【００１８】
あるいは、上記構成において、前記ドレンホース保持部は、前記空気調和機の構成部材に設けた把持部に前記ドレンホースを挟む構造としてもよい。
【００１９】
上記の各構成によれば、非常に簡素な構成によってドレンホースを確実に保持することができる。
【００２０】
上記構成において、前記ドレンホース保持部は、前記ドレンホースを径方向に圧迫してホース通路を遮断しながら保持する構造としてもよい。
【００２１】
上記構成によれば、熱交換器を通過する前の空気、即ち空調される前の空気がドレンホースを経て室内側に漏れてしまうことを防止でき、空調性能の低下を回避することができる。
【００２２】
上記構成において、前記ドレンホース保持部に保持された前記ドレンホースの自由端を突き当てることによって前記ドレンホースの差し込み量を規定する差込量規定部を設けてもよい。
【００２３】
上記構成によれば、ドレンホースをドレンホース保持部に保持させる際には、ドレンホースの自由端が差込量規定部に突き当たるまでドレンホースを差し込めばよい。これにより、ドレンホースの差し込み量が不足してドレンホースの自由端の高さがドレンパンの最大貯留水位よりも低くなることを防止し、ドレンホースからドレン水が漏れることを回避することができる。
【００２４】
上記構成において、前記ドレンホース保持部は、前記ドレンパンに一体に設けられていてもよい。
【００２５】
上記構成によれば、ドレンパンを取り外す時において、ドレンホースからドレン水を排水した後、再びドレンホースをドレンホース保持部に保持させることにより、ドレンホースの自由端をドレンパンの底部よりも高い位置に保ちながら、そのままドレンパンを取り外すことができる。このため、ドレンパンの取り外し中および取り外し後にドレンホースが垂れ下がって残留ドレン水が垂れることを防止し、ドレンパンの取り外しを容易にすることができる。
【００２６】
上記構成において、前記ドレンホースは前記ドレンプラグに一体に成形してもよい。
【００２７】
上記構成によれば、ドレンホースの形成およびドレンプラグへの接続を容易にし、空気調和機を簡素且つ安価に構成することができる。
【００２８】
また、本発明に係る空気調和機は、上記のいずれかの態様のドレン水排水装置を備えたことを特徴とする。
【００２９】
上記構成の空気調和機によれば、ドレンパンのドレン排水口からドレンホースを延ばし、このドレンホースを保持するドレンホース保持部を設けるという簡素且つ安価な構成により、ドレンパンからドレン水を容易に排水可能にし、空気調和機の高さ寸法が大きくなることを回避することができる。
【発明の効果】
【００３０】
以上のように、本発明に係るドレン水排水装置およびこれを備えた空気調和機によれば、簡素且つ安価な構成により、ドレンパンからドレン水を容易に排水可能にするとともに、空気調和機の高さ寸法が大きくなることを回避することができる。
【図面の簡単な説明】
【００３１】
【図１】本発明の実施形態に係る天井埋込型の空気調和機の部分縦断面図である。
【図２】図１のＩＩ部を拡大して本発明の第１実施形態を示すドレン水排水装置の縦断面図である。
【図３】本発明の第２実施形態を示すドレン水排水装置の縦断面図である。
【図４】本発明の第３実施形態を示すドレン水排水装置の縦断面図である。
【図５】本発明の第４実施形態を示すドレン水排水装置の縦断面図である。
【図６】図５のＶＩ−ＶＩ線に沿う横断面図であり、（Ａ）クリップ状の把持部を示し、（Ｂ）はスリット板状の把持部を示している。
【図７】本発明の第５実施形態を示すドレン水排水装置の縦断面図である。
【発明を実施するための形態】
【００３２】
以下に、本発明の複数の実施形態について図面を参照しながら説明する。
【００３３】
［第１実施形態］
図１は、本発明の実施形態に係る空気調和機の部分縦断面図である。この空気調和機１は、店舗や事務所等の室内の天井に埋め込み設置される室内機ユニットであり、その外殻をなす筐体２を備えている。筐体２の外周面には、図示しない天井内部の取付枠に締結される複数の取付ブラケット３が設けられている。また、筐体２の内周面および天井面には断熱材４が設けられている。さらに、筐体２の下面には図示しないグリルカバーが被装される。
【００３４】
筐体２の下面中央部には室内の空気を吸入する空気吸入部６が設けられ、この空気吸入部６の上方となる筐体２の内部に、気流を整えるベルマウス７と、遠心ファン８と、遠心ファン８を駆動するファンモータ（非図示）とが設置されている。遠心ファン８の回転軸線は鉛直方向に沿っている。
【００３５】
また、遠心ファン８の周囲を囲むように、複数の平板状の熱交換器１０が設置されている。これらの熱交換器１０は、例えばその上端部が筐体２の天井面に固定され、下端部が筐体２の底部をなし、天井面に沿う底面を有するドレンパン１１の上に載置されている。空気調和機１の冷房・除湿運転時には、熱交換器１０に空気中の水分が結露し、この水分がドレン水として滴下する。このドレン水はドレンパン１１に捕集され、貯留される。ドレンパン１１の下面や外周面には断熱材１２が設けられている。
【００３６】
ドレンパン１１上にはドレンポンプ１４が、その吸込口１４ａを下方に向けて設置されている。ドレンパン１１には、ドレンポンプ１４の直下に位置する着脱可能な点検蓋１５が設けられており、この点検蓋１５の上面は、ドレンポンプ１４の吸込口１４ａを収容するように下方に凹んでいる。ドレンポンプ１４はドレン水を汲み上げて図示しない排水管から外部に排水する。
【００３７】
また、ドレンパン１１上にはフロートスイッチ１７が設けられている。このフロートスイッチ１７は、ドレンパン１１に貯留されたドレン水の水位に応じて上下するフロート１７ａを備えている。ドレン水の水位が最大貯留水位Ｈ１（図２参照）に達すると、フロート１７ａが所定の高さまで浮上してフロートスイッチ１７がＯＦＦになり、空気調和機１の作動を保護停止させる。
【００３８】
さらに、図２にも示すように、ドレンパン１１の底部には、ドレン水を排水するためのドレン排水口１９と、このドレン排水口１９に着脱可能に嵌め込まれるドレンプラグ２０とが設けられている。ドレン排水口１９は、ドレンパン１１の底面から下方に延びる短い筒状の孔となっている。本実施形態において、ドレン排水口１９はフロートスイッチ１７の直下に配置されているが、他の場所に設けてもよい。
【００３９】
ドレンプラグ２０は、例えばゴムや軟質樹脂等の弾性材料によって形成され、ドレン排水口１９に密に嵌合されることによってドレン排水口１９を液密に閉塞するようになっている。しかし、この構造には限定されず、例えばドレンプラグ２０を硬質な材質により形成して雄ネジを形成し、このドレンプラグ２０をドレン排水口１９に形成した雌ネジに螺合してドレン排水口１９を閉塞する構造にしてもよい。この場合、ネジの回転角は、後述するドレンホース２６の捩じれを防止するため、１／２〜１／４回転程度にするのが好ましい。
【００４０】
上記のように構成された空気調和機１において、遠心ファン８が回転することにより、空調される室内の空気が空気吸入部６から吸入され、ベルマウス７によって流れを整えられた後に熱交換器１０を通過し、温度調整と除湿がなされる。このように空調された空気は、熱交換器１０よりも外周側となる筐体２の下面に設けられた図示しない吹出口から下方の室内側に吹き出され、室内の空調に供せられる。
【００４１】
図１および図２に示すように、ドレンパン１１には、ドレン水排水装置２５が設けられている。このドレン水排水装置２５は、ドレンパン１１に設けられた前述のドレン排水口１９と、ドレンプラグ２０から一体的に延びる柔軟なドレンホース２６と、このドレンホース２６を保持するドレンホース保持部２７と、を具備して構成されている。ドレンホース２６は、ゴムや柔軟な樹脂材料によって形成されている。
【００４２】
ドレンホース２６は、例えばドレンプラグ２０に一体成形されて設けられるが、ドレンホース２６を別体部品として形成し、ドレンプラグ２０に嵌合、接着、溶着等により接続してもよい。ドレンホース２６の長さは、ドレンホース２６をドレンプラグ２０からＵターンさせて上方に延ばした時に、ドレンパン１１の最大貯留水位Ｈ１よりもドレンホース２６の自由端２６ａの高さＨ２が高くなり、且つ、その収納に困難を来さない程度の長さに設定される。
【００４３】
ドレンホース２６の基端側の開口端部はドレンプラグ２０の上面に開口し、ドレンホース２６の自由端２６ａ側の開口部はドレンパン１１の外部に連通している。したがって、ドレンプラグ２０がドレン排水口１９に取り付けられた状態では、ドレンパン１１の内部と外部とがドレンホース２６を経て連通することになる。つまり、ドレン排水口１９はドレンプラグ２０によって液密に閉塞されるものの、ドレンホース２６が下方を向いていれば、ドレンパン１１内に貯留されたドレン水はドレンホース２６を経て外部に流れ出ることができる。
【００４４】
一方、ドレンホース保持部２７は、ドレンプラグ２０がドレン排水口１９に取り付けられた状態で、ドレンプラグ２０から自然に下方に垂れ下がるドレンホース２６を上方に向かってＵターンさせ、このドレンホース２６を空気調和機１の構成部材の間に下方から上方に向けて差し込み、構成部材の間に挟んで保持する構造となっている。このドレンホース保持部２７においてドレンホース２６を挟む構成部材として好適なのは、ドレンパン１１の一部や、ドレンパン１１に隣接しているベルマウス７、あるいは筐体２の一部、およびドレンパン１１付近に配置されている様々な空調機構成部品等である。
【００４５】
図２に示すように、本実施形態におけるドレンホース保持部２７は、ドレンプラグ２０から上方に向かってＵターンさせたドレンホース２６の自由端２６ａを、ドレンパン１１の側壁部１１ａ（断熱材１２）と、この側壁部１１ａに隣接する構造部品、例えばベルマウス７との間に下方から差し込み、側壁部１１ａとベルマウス７とによってドレンホース２６を挟む構成となっている。その際には、ドレンホース２６の自由端２６ａが上方を向き、且つ、ドレンパン１１の最大貯留水位Ｈ１よりも、ドレンホース２６の自由端２６ａの高さＨ２が高くなるようにドレンホース２６が保持される。
【００４６】
具体的には、例えば側壁部１１ａに隣接する断熱材１２に、縦方向に延びるホース保持孔１１ｂが形成され、このホース保持孔１１ｂにドレンホース２６の自由端２６ａが下方から差し込まれるようになっている。つまり、ドレンホース保持部２７（ホース保持孔１１ｂ）はドレンパン１１に一体に設けられている。
【００４７】
また、このドレン水排水装置２５には、ドレンホース保持部２７に保持されたドレンホース２６の自由端２６ａを突き当てることによってドレンホース２６の差し込み量を規定する差込量規定部３２が設けられている。本実施形態では、差込量規定部３２として、例えばドレンパン１１を形成する水平パネル部１１ｃにドレンホース２６の自由端２６ａを突き当てるようになっている。この水平パネル部１１ｃの高さはドレンパン１１の最大貯留水位Ｈ１よりも高い。なお、水平パネル部１１ｃに限らず、他の構成部品にドレンホース２６の自由端２６ａを突き当てるようにしてもよい。
【００４８】
このドレンホース保持部２７において、ドレンホース２６は、側壁部１１ａ（断熱材１２）とベルマウス７との間で軽く弾圧され、その材質自体の復元力によって側壁部１１ａ（１２）とベルマウス７とに押し付けられる。なお、ドレンプラグ２０の直下には、筐体２の下面に被装される図示しないグリルカバーが位置するため、ドレンホース２６が重力や空気調和機１の振動等によって自然に落下しようとしても、グリルカバーにより阻止される。上記のように、ドレンホース保持部２７により、ゴムや樹脂材料等の柔軟な材質でできたドレンホース２６が弾性変形して保持される構成とするのが好ましい。
【００４９】
以上のように構成されたドレン水排水装置２５において、ドレンパン１１のドレン排水口１９を塞ぐ場合（ドレン排水口１９からドレン水を排水しない場合）は、ドレン排水口１９にドレンプラグ２０を嵌合し、ドレンプラグ２０から延びるドレンホース２６をドレンホース保持部２７に保持させる。つまり、ドレンプラグ２０から垂れ下がるドレンホース２６を上方にＵターンさせ、その自由端２６ａを、ドレンパン１１の側壁部１１ａ（断熱材１２）と、この側壁部１１ａに隣接するベルマウス７との間に下方から差し込み、さらに断熱材１２に形成されたホース保持孔１１ｂに下方から差し込む。そして、この自由端２６ａが差込量規定部３２である水平パネル部１１ｃに突き当たるまでドレンホース２６を差し込む。
【００５０】
これにより、ドレンホース２６は、その自由端２６ａの高さＨ２がドレンパン１１の最大貯留水位Ｈ１よりも高くなる状態で保持される。このため、ドレンパン１１内にドレン水が貯留されても、このドレン水がドレンホース２６を経て外部に流れ出ることができなくなる。
【００５１】
また、ドレンパン１１を取り外す場合は、まずドレンホース保持部２７に保持されたドレンホース２６を外し、ドレンホース２６を下方に垂らす。これにより、ドレンホース２６の中間および自由端２６ａの高さがドレンパン１１の底面よりも低くなるため、ドレンポンプ１４により排水されきらずにドレンパン１１内に残留しているドレン水がドレンホース２６から排水される。
【００５２】
したがって、ドレン排水口１９にしっかりと嵌合されているドレンプラグ２０を抜くことなくドレン水を簡単に排水することができ、ドレンパン１１の取り外し作業が容易になる。その際、作業者は、片手でドレンホース２６をドレンホース保持部２７から外して把持しながら、他方の手でドレン水を受ける容器を保持していればよいため、ドレン水の回収は非常に容易である。
【００５３】
このドレン水排水装置２５のように、ドレンプラグ２０にドレンホース２６を設けることや、ドレンホース保持部２７を設けることは、大きな設計変更を伴うことなく容易に実施することができる。このため、ドレン排水口１９にドレンコックを設けてドレン水を排水するといった従来の技術に比べ、構造を簡素且つ安価にすることができる。
【００５４】
しかも、ドレンホース２６は、ドレンパン１１の下方に多大なスペースを占有することなく設けることができるため、ドレンパン１１と、空気調和機１の下面をなすグリルカバーとの間のスペースが拡がることがない。したがって、空気調和機１の高さ寸法が大きくなることはない。
【００５５】
ドレンホース保持部２７は、空気調和機１の既存の構成部材（ドレンパン１１の側壁部１１ａとベルマウス７）の間にドレンホース２６を挟んで保持する構造となっているため、専用のホース保持部材等を設ける必要がない。このため、ドレンホース保持部２７の構造を簡素にし、ドレン水排水装置２５を安価に構成することができる。
【００５６】
また、ドレンホース保持部２７に保持されたドレンホース２６の自由端２６ａを突き当てることによってドレンホース２６の差し込み量を規定する差込量規定部３２として、ドレンパン１１を形成している水平パネル部１１ｃを利用しているため、ドレンホース２６をドレンホース保持部２７に保持させる際には、ドレンホース２６の自由端２６ａが水平パネル部１１ｃに突き当たるまでドレンホース２６を差し込めばよい。
【００５７】
これにより、ドレンホース２６の差し込み量が不足してドレンホース２６の自由端２６ａの高さＨ２がドレンパン１１の最大貯留水位Ｈ１よりも低くなることを防止し、ドレンホース２６からドレン水が漏れることを確実に防止することができる。また、作業者にドレンホース２６の差し込み量が十分であることを認識させ、作業を容易にすることができる。
【００５８】
さらに、ドレンホース２６をドレンプラグ２０に一体成形したことにより、ドレンホース２６の形成およびドレンプラグ２０への接続を容易にし、空気調和機１をより簡素且つ安価に構成することができる。
【００５９】
ドレンホース保持部２７を構成しているホース保持孔１１ｂはドレンパン１１に一体に設けられているため、ドレンパン１１を取り外す時には、ドレンホース２６からドレン水を排水した後に、ドレンホース２６をホース保持孔１１ｂに差し込んでその自由端２６ａをドレンパン１１の底部よりも高い位置に保ちながら、そのままドレンパン１１を取り外すことができる。このため、ドレンパン１１の取り外し中および取り外し後にドレンホース２６が垂れ下がって残留ドレン水が垂れることを防止し、ドレンパン１１の取り外しを容易にすることができる。
【００６０】
なお、ホース保持孔１１ｂがドレンパン１１に一体に設けられているため、ドレンパン１１を残してベルマウス７が取り外されても、ドレンホース２６はホース保持孔１１ｂに保持された状態を保つことができる。このため、ベルマウス７を取り外すようなメンテナンス時においても、ドレンホース２６から残留ドレン水が垂れることを防止し、メンテナンス作業を容易にすることができる。
【００６１】
［第２実施形態］
図３は、本発明の第２実施形態を示すドレン水排水装置３５の縦断面図である。
このドレン水排水装置３５は、そのドレンホース保持部３７の構成が第１実施形態のドレン水排水装置２５（ドレンホース保持部２７）と相違し、その他の部分の構成は同一である。第１実施形態と同一の構成部には同一符号を付して説明を省略する。
【００６２】
ドレンホース保持部３７は、空気調和機１の構成部材であるベルマウス７に丸穴状のホース保持孔３８を開けて前記ドレンホース２６を（上方に向けて）差し込む構造となっている。本実施形態では、ベルマウス７を形成する水平パネル部７ａにホース保持孔３８が設けられている。ホース保持孔３８の内径は、ドレンホース２６の外周をやや圧迫する程度の大きさである。なお、ホース保持孔３８は必ずしも丸穴状でなくてもよく、例えば水平パネル部７ａの縁部に形成されたＵ字形等の切欠き等であってもよい。
【００６３】
また、このドレン水排水装置３５には、第１実施形態のドレンホース保持部２７と同様な差込量規定部３９が設けられている。この差込量規定部３９としては、例えばドレンパン１１に設けられている断熱材１２の水平部に下方からドレンホース２６の自由端２６ａを突き当てるようになっている。
【００６４】
以上のように構成されたドレン水排水装置３５は、そのドレンホース保持部３７が、空気調和機１の構成部材であるベルマウス７の水平パネル部７ａにホース保持孔３８を開けてドレンホース２６を差し込む構造となっている。このため、非常に簡素な構成によってドレンホース２６を確実に保持することができる。なお、ホース保持孔３８を、ドレン排水口１９に近接している他の部材に形成することも考えられる。
【００６５】
また、第１実施形態と同様に、ドレンホース保持部３７（ホース保持孔３８）に保持されたドレンホース２６の自由端２６ａを突き当てることによってドレンホース２６の差し込み量を規定する差込量規定部３９が設けられているため、ドレンホース２６の差し込み量が不足することを防止することができる。
【００６６】
［第３実施形態］
図４は、本発明の第３実施形態を示すドレン水排水装置４５の縦断面図である。
このドレン水排水装置４５は、そのドレンホース保持部４７の構成が第２実施形態のドレン水排水装置３５（ドレンホース保持部３７）と若干相違し、その他の部分の構成は同一である。第２実施形態と同一の構成部には同一符号を付して説明を省略する。
【００６７】
ドレンホース保持部４７は、第２実施形態のドレン水排水装置３５と同様に、ベルマウス７の水平パネル部７ａにホース保持孔４８が形成され、このホース保持孔４８にドレンホース２６を上方に向けて差し込む構造となっている。ホース保持孔４８は、第２実施形態の丸穴状のホース保持孔３８と異なり、スリット穴状に形成されている。そのスリット幅は、挿入されたドレンホース２６を径方向に圧迫し、そのホース通路を遮断する幅とされている。なお、ホース保持孔４８は必ずしもスリット穴状でなくてもよく、例えば水平パネル部７ａの縁部に形成された、一端が開放されたスリット状の切欠き等であってもよい。
【００６８】
ホース保持孔４８の下部は、下方に向かって広がる拡開形状４８ａとなっており、これによってドレンホース２６をスムーズにホース保持孔４８に挿入することができる。この拡開形状４８ａは第２実施形態のホース保持孔３８にも設けることができる。なお、このドレン水排水装置４５にも、第２実施形態のドレンホース保持部３７のものと同様な差込量規定部３９が設けられている。
【００６９】
このように、ドレンホース保持部４７としてスリット状のホース保持孔４８を設けることにより、ドレンホース２６をホース保持孔４８に挿入した時に、ドレンホース２６はホース保持孔４８のスリット形状によって径方向に圧迫され、そのホース通路を遮断された状態で保持される。このため、熱交換器１０を通過する前の空気、即ち空調される前の空気がドレンホース２６を経て室内側に漏れてしまうことを防止でき、空調性能の低下を回避することができる。また、ドレン水の漏れをより確実に防止することができる。
【００７０】
［第４実施形態］
図５は、本発明の第４実施形態を示すドレン水排水装置５５の縦断面図である。
このドレン水排水装置５５は、そのドレンホース保持部５７の構成が第１実施形態のドレン水排水装置２５（ドレンホース保持部２７）と相違し、その他の部分の構成は同一である。第１実施形態と同一の構成部には同一符号を付して説明を省略する。
【００７１】
ドレンホース保持部５７は、空気調和機１の構成部材に把持部５８，５９を設けてドレンホース２６を上方に向けて挟む構造となっている。本実施形態では、ドレンパン１１を形成する側壁部１１ａに把持部５８，５９が設けられている。把持部５８，５９の具体的な形状としては、図６（Ａ）に示すクリップ状の把持部５８や、図６（Ｂ）に示すスリット板状の把持部５９を例示することができる。これらの把持部５８，５９は、側壁部１１ａに一体成形する、あるいは一体的に設けるのが好ましい。なお、このドレン水排水装置５５にも、第２実施形態のドレンホース保持部３７のものと同様な差込量規定部３９が設けられている。
【００７２】
図６（Ａ）に示すクリップ状の把持部５８は、側壁部１１ａに固定されて水平方向に延びる固定辺５８ａと、この固定辺５８ａの一端がＵターンして延びる可動辺（付勢辺）５８ｂとを備えており、可動辺５８ｂが固定辺５８ａ側に押し付けられるように付勢されている。可動辺５８ｂの自由端部５８ｃ付近は固定辺５８ａから離れるように斜めに開いており、可動辺５８ｂの中間部には固定辺５８ａの反対側に凹む凹部５８ｄが形成されている。
【００７３】
ドレンホース２６は、把持部５８の固定辺５８ａと可動辺５８ｂとの間に挟まれ、径方向に圧迫されながらそのホース通路を遮断された状態で保持される。なお、可動辺５８ｂの自由端部５８ｃが斜めに開いているため、作業者は片手でドレンホース２６を把持部５８に簡単に挟み込むことができる。また、把持部５８に挟まれたドレンホース２６は、可動辺５８ｂの凹部５８ｄに嵌ることによって水平方向へのずれを規制される。
【００７４】
図６（Ｂ）に示すスリット板状の把持部５９は、ドレンパン１１の側壁部１１ａに一体成形されて水平に延びる板状部分５９ａにスリット５９ｂが形成された構成である。スリット５９ｂの入口部分５９ｃは外側に向かって斜めに開いている。また、この入口部分５９ｃの奥に突起部５９ｄが形成され、さらにその奥に、平行に対向する一対のスリット辺５９ｅが形成されている。スリット辺５９ｅの対向間隔はドレンホース２６を圧迫してそのホース通路を遮断する幅に設定されている。
【００７５】
ドレンホース２６は、把持部５９のスリット５９ｂに押し込まれ、対向するスリット辺５９ｅの間で径方向に圧迫されながらそのホース通路を遮断された状態で保持される。なお、スリット５９ｂの入口部分５９ｃが斜めに開いているため、作業者は片手でドレンホース２６をスリット５９ｂに簡単に押し込むことができる。また、スリット５９ｂに挟まれたドレンホース２６は、一対の突起部５９ｄによって自然抜脱を阻止される。
【００７６】
このように、ドレンホース保持部５７は、ドレンパン１１の側壁部１１ａに設けた把持部５８，５９にドレンホース２６を保持する構造であるため、非常に簡素な構成によってドレンホース２６を確実に保持することができる。
【００７７】
把持部５８，５９に保持されたドレンホース２６は、径方向に圧迫されてホース通路を遮断された状態で保持される。このため、熱交換器１０を通過する前の空気がドレンホース２６を経て室内側に漏れてしまうことを防止し、空調性能の低下を回避するとともに、ドレン水の漏れを確実に防止することができる。
【００７８】
しかも、ドレンホース保持部５７（把持部５８，５９）が、第１実施形態のドレンホース保持部２７（ホース保持孔１１ｂ）と同じくドレンパン１１に一体に設けられているため、ドレンパン１１を取り外す時にドレンホース２６を把持部５８，５９に保持させて下方に垂れ下がらないようにし、ドレン水が垂れることを防止してドレンパン１１の取り外しを容易にすることができる。
【００７９】
［第５実施形態］
図７は、本発明の第５実施形態を示すドレン水排水装置６５の縦断面図である。
このドレン水排水装置６５は、ドレンパン１１の底部に、パイプ状（ユニオン状）に垂下するドレン排水口１９Ａが設けられ、このドレン排水口１９Ａに直接ドレンホース２６が接続されている点において第１実施形態のドレン水排水装置２５と相違し、その他の部分の構成は同一である。このドレン水排水装置６５において、第１実施形態のドレン水排水装置２５と同一の構成部には同一符号を付して説明を省略する。
【００８０】
このドレン水排水装置６５においては、ドレンパン１１からドレンホース２６が延出する部分にドレンプラグが設けられていない。ドレンホース２６は、パイプ状（ユニオン状）のドレン排水口１９Ａに嵌合されて接着、あるいはバンド止めされる等して抜脱を防止される。ドレンホース２６の自由端２６ａ側を保持するドレンホース保持部２７の構成、およびドレン水の排水手順は第１実施形態と同様である。
【００８１】
以上のように、ドレンパン１１から直接ドレンホース２６を延出させてドレン水を排水するようにした場合には、必ずしもドレンパン１１にドレンプラグを設けなくてもよい。これにより、ドレンパン１１の構成を簡略化することができる。なお、ドレンパン１１の他の部位にドレンプラグを設けてもよい。また、ドレンホース保持部２７の構成は、本実施形態のものに限らず、第２〜第４実施形態のものとしてもよい。
【００８２】
以上説明したように、本実施形態に係るドレン水排水装置２５，３５，４５，５５，６５およびこれを備えた空気調和機１によれば、ドレンパン１１のドレン排水口１９，１９Ａからドレンホース２６を延ばし、このドレンホース２６を保持するドレンホース保持部２７，３７，４７，５７を設けるという簡素且つ安価な構成により、ドレンパン１１からドレン水を容易に排水可能にするとともに、空気調和機１の高さ寸法が大きくなることを回避することができる。
【００８３】
なお、本発明は上記第１〜第５実施形態の構成のみに限定されるものではなく、本発明の要旨を逸脱しない範囲内において適宜変更や改良を加えることができ、このように変更や改良を加えた実施形態も本発明の権利範囲に含まれるものとする。
要するに、ドレンパン１１の底部から延出させたドレンホース２６を、その自由端２６ａの高さＨ２がドレンパン１１の最大貯留水位Ｈ１よりも高くなるように保持するドレンホース保持部を備えていればよい。
【符号の説明】
【００８４】
１  空気調和機
２  筐体
７  ベルマウス（空気調和機の構成部材）
１０  熱交換器
１１  ドレンパン（空気調和機の構成部材）
１１ｂ  ホース保持孔
１２  断熱材
１４  ドレンポンプ
１７  フロートスイッチ
１９，１９Ａ  ドレン排水口
２０  ドレンプラグ
２５，３５，４５，５５，６５  ドレン水排水装置
２６  ドレンホース
２６ａ  ドレンホースの自由端
２７，３７，４７，５７  ドレンホース保持部
３２，３９  差込量規定部
３８，４８  ホース保持孔
５８，５９  把持部
Ｈ１  最大貯留水位
Ｈ２  ドレンホースの自由端の高さ
【図１】
2016173190.tif 000003
【図２】
2016173190.tif 000004
【図３】
2016173190.tif 000005
【図４】
2016173190.tif 000006
【図５】
2016173190.tif 000007
【図６】
2016173190.tif 000008
【図７】
2016173190.tif 000009